(57)【要約】【課題】製造コストの低減が可能であり、かつ、転倒または破損が生じることなく雪崩の衝撃を緩和することが可能な雪崩減勢工を提供する。【解決手段】雪崩減勢工１は、谷間Ｖに設置され、雪崩Ｓの勢いを減少させる。雪崩減勢工１は、谷間Ｖの向かい合う斜面Ｇにそれぞれ設置されたケーブル固定部２と、谷間Ｖを横断する方向に延びるように互いに異なる高さに並んで配索され、両端部がケーブル固定部２に固定された複数本のケーブル３と、谷間Ｖを横断するように設置され、ケーブル３に支持されたネット４とを備えている。さらに、雪崩減勢工１は、支柱支持部６と、雪崩Ｓの進行方向Ｂの下流側に揺動できるように支柱支持部６に支持された支柱５であって、ケーブル３を当該ケーブルの高さを維持し、かつ、当該ケーブルに対して上方からかかる雪崩の沈降荷重を受けるように保持するＵボルト２２を備えた支柱５とを備える。【選択図】図１
2014105460.tif 000002
【特許請求の範囲】
【請求項１】
谷間に設置され、雪崩の勢いを減少させる雪崩減勢工であって、
前記谷間の向かい合う斜面にそれぞれ設置されたケーブル固定部と、
前記谷間を横断する方向に延びるように互いに異なる高さに並んで配索され、両端部が前記ケーブル固定部に固定された複数本のケーブルと、
前記谷間を横断するように設置され、前記ケーブルに支持されたネットと、
を備えていることを特徴とする雪崩減勢工。
【請求項２】
前記谷間に設置された少なくとも１つの支柱支持部と、
前記谷間に沿って流れる雪崩の進行方向の下流側に揺動できるように前記支柱支持部に支持された支柱であって、各々の前記ケーブルを、当該ケーブルの高さを維持し、かつ、当該ケーブルに対して上方からかかる雪崩の沈降荷重を受けるように、保持する保持部を備えた少なくとも１本の支柱と
をさらに備えている請求項１に記載の雪崩減勢工。
【請求項３】
前記支柱支持部は、前記谷間の向かい合う斜面にそれぞれ設置され、かつ、当該支柱支持部には、それぞれ前記支柱が支持されている、
請求項２に記載の雪崩減勢工。
【請求項４】
前記支柱は、その先端が谷間の中央を向くように垂線に対して傾斜した状態で、前記支柱支持部にそれぞれ支持されている、
請求項３に記載の雪崩減勢工。
【請求項５】
前記保持部は、前記ケーブルの谷間を横断する方向への移動を許すように、当該ケーブルを保持する、
請求項２に記載の雪崩減勢工。
【発明の詳細な説明】
【技術分野】
【０００１】
本発明は、谷間に沿って流れる雪崩の勢いを減少させる雪崩減勢工に関する。
【背景技術】
【０００２】
従来、山の法面に沿って流れる雪崩を防ぐために種々の防止柵が提案されている。例えば、特許文献１に記載されている雪崩・落石防止柵は、雪崩をくい止めるために、コンクリートブロックからなる大型で大重量の擁壁を備えている。
【先行技術文献】
【特許文献】
【０００３】
【特許文献１】特開２００８−２５５６３２号公報
【発明の概要】
【発明が解決しようとする課題】
【０００４】
雪崩は、山の法面全体のうち、下流に向けて線状に延びる谷間に沿って流れるものがある。しかし、このような谷間に沿って流れる雪崩の勢いを減少させるために、上記のような大型かつ大重量のコンクリートブロックからなる防止柵を谷間を横断するように設置する場合、製造コストの低減が難しいという問題がある。
【０００５】
また、複数の支柱または杭を地面に立設した群杭などの雪崩減勢工も従来から提案されているが、このような構造では、雪崩の進行方向における圧力が支柱に対して横向きに作用すると当該支柱の根元部分に大きなモーメントがかかり、当該支柱が転倒または破損するおそれがある。
【０００６】
本発明は、上記のような事情に鑑みてなされたものであり、製造コストの低減が可能であり、かつ、転倒または破損が生じることなく雪崩の衝撃を緩和することが可能な雪崩減勢工を提供することを目的とする。
【課題を解決するための手段】
【０００７】
上記課題を解決するためのものとして、本発明の雪崩減勢工は、谷間に設置され、雪崩の勢いを減少させる雪崩減勢工であって、前記谷間の向かい合う斜面にそれぞれ設置されたケーブル固定部と、前記谷間を横断する方向に延びるように互いに異なる高さに並んで配索され、両端部が前記ケーブル固定部に固定された複数本のケーブルと、前記谷間を横断するように設置され、前記ケーブルに支持されたネットとを備えていることを特徴とする。
【０００８】
かかる構成によれば、谷間に沿って流れる雪崩をネットおよびそのネットを支持するケーブルによって受ける構造であるので、大重量のコンクリート製の擁壁を設置する場合と比較して製造コストを大幅に低減することが可能である。しかも、ケーブルの両端部は谷間に設置されたケーブル固定部に固定されているので、雪崩の進行方向における圧力をケーブルの張力によって弾力的に受けることができるので、従来のように支柱や杭などの雪崩減勢工を構成する部材が転倒したり破損したりするおそれがない。
【０００９】
前記谷間に設置された少なくとも１つの支柱支持部と、前記谷間に沿って流れる雪崩の進行方向の下流側に揺動できるように前記支柱支持部に支持された支柱であって、各々の前記ケーブルを、当該ケーブルの高さを維持し、かつ、当該ケーブルに対して上方からかかる雪崩の沈降荷重を受けるように、保持する保持部を備えた少なくとも１本の支柱とをさらに備えているのが好ましい。
【００１０】
かかる構成によれば、支柱の保持部によってケーブルを保持することにより、当該ケーブルの高さを維持し、かつ、ケーブルに対して上方からかかる雪崩の沈降荷重を受けることが可能である。これにより、ケーブルにかかる沈降荷重を支柱へ分散させ、雪の沈降荷重によってケーブルが下方へ押し下げられて歪曲することを抑止することが可能である。
【００１１】
しかも、この支柱は、谷間に沿って流れる雪崩の進行方向の下流側に揺動できるように支柱支持部に支持されているので、雪崩の進行方向における衝撃および圧力を支柱が受けたときに下流側に揺動しながらケーブルへその衝撃および圧力を分散させることが可能であり、その結果、支柱が転倒や破損することを抑止することが可能である。
【００１２】
前記支柱支持部は、前記谷間の向かい合う斜面にそれぞれ設置され、かつ、当該支柱支持部には、それぞれ前記支柱が支持されているのが好ましい。
【００１３】
かかる構成によれば、雪崩の沈降荷重をケーブルが受けたときに谷間の両側の斜面に配置された支柱によって受けることが可能になる。その結果、ケーブルにかかる雪崩の沈降荷重を大きい場合でも、ケーブルが雪崩の沈降荷重によって押し下げられて歪曲するおそれが低減する。
【００１４】
前記支柱支持部は、前記支柱は、その先端が谷間の中央を向くように垂線に対して傾斜した状態で、前記支柱支持部にそれぞれ支持されているのが好ましい。
【００１５】
谷間の中央では、積雪量が多く、その付近にではケーブルにかかる雪崩の沈降荷重が大きくなり、ケーブルが押し下げられて歪曲しやすい傾向がある。そこで、上記の構成では、支柱の先端が谷間の中央を向くように垂線に対して傾斜するように、支柱が谷間の向かい合う斜面に設置された支柱支持部に支持されているので、谷間の中央付近では、支柱の先端同士の間隔が狭くなるので、谷間の幅が広い場合でも、雪崩の沈降荷重をケーブルが受けたときに両側の支柱に確実に分散して受けることが可能になる。その結果、谷間の幅が広くてケーブルにかかる雪崩の沈降荷重を大きい場合でも、ケーブルが雪崩の沈降荷重によって押し下げられて歪曲するおそれが低減する。
【００１６】
前記保持部は、前記ケーブルの谷間を横断する方向への移動を許すように、当該ケーブルを保持するのが好ましい。
【００１７】
かかる構成によれば、ケーブルが雪崩から当該雪崩の進行方向における圧力を受けたときに、ケーブルは支柱の保持部によって拘束されることなく谷間を横断する方向に移動しながら当該進行方向へたわむことが可能であり、ケーブルの張力をケーブル固定部に確実に伝達することが可能である。
【発明の効果】
【００１８】
以上説明したように、本発明の雪崩減勢工によれば、製造コストの低減ができ、かつ、当該減勢工の構成部材が転倒または破損が生じることなく雪崩の衝撃を緩和することができる。
【図面の簡単な説明】
【００１９】
【図１】本発明の実施形態に係る雪崩減勢工の一実施形態に係わる正面図である。
【図２】図１のケーブル固定部とケーブルとの連結部分の拡大断面図である。
【図３】図１のケーブル固定部のアンカーボルト頭部付近の部分の拡大図である。
【図４】図１のＩＶ−ＩＶ線断面図である。
【図５】図４のＵボルト付近の拡大図である。
【図６】図１の支柱と支柱支持部との連結部分の拡大図である。
【図７】図４の支柱用ベースプレートの平面図である。
【図８】図４の支柱用ベースプレートの側面図である。
【発明を実施するための形態】
【００２０】
つぎに、図面を参照しながら、本発明の雪崩減勢工１についてさらに詳細に説明する。
【００２１】
図１に示される雪崩減勢工１は、谷間Ｖに設置され、谷間Ｖに沿って流れる雪崩Ｓの勢いを減少させるものである。
【００２２】
雪崩減勢工１は、一対のケーブル固定部２と、一対のケーブル固定部２にそれぞれ両端固定された複数本（図１の例では５本）のケーブル３と、各ケーブル３に支持されたネット４と、複数本のケーブル３を支持する支柱５と、支柱５の根元側端部を揺動自在に支持する支柱支持部６とを備えている。図１の例では、支柱５は、最下段を除く４本のケーブル３を支持している。最下段のケーブル３は、雪崩Ｓの沈降荷重Ｆ（図４〜５参照）の影響が小さいので、支柱５によって支持されていなくても当該沈降荷重によって下方へ大きく歪曲するおそれが低い。なお、本発明でいう雪崩Ｓの沈降荷重Ｆとは、雪崩Ｓが堆積した状態で雪が締め固まるかまたは融雪などの原因によって雪が下方へ沈降することにより発生する下向きの荷重のことをいう。
【００２３】
ケーブル固定部２は、谷間Ｖの向かい合う斜面Ｇにそれぞれ設置されている。ケーブル固定部２は、図１〜３に示されるように、斜面Ｇの地中に埋設された法枠１１と、当該法枠１１を貫通して斜面Ｇの地中に埋め込まれたアンカーボルト１２と、アンカーボルト１２の頭部１２ａに固定された固定ブラケット１３と、固定ブラケット１３を法枠１１表面に締結するナット１４と、固定ブラケット１３とケーブル３との間を連結するリンク１６とを備えている。
【００２４】
法枠１１は、コンクリート製の細長い台座であり、斜面Ｇの延びる方向にほぼ沿う向きで斜面Ｇの地中に全体的または部分的に埋設されている。
【００２５】
図２〜３に示されるように、アンカーボルト１２は、その頭部１２ａを法枠１１の上側に突出するように、法枠１１の長手方向に沿って間隔をあけて当該法枠１１を貫通して斜面Ｇの地中に埋め込まれている。頭部１２ａには、おねじ部１２ｂが形成されている。
【００２６】
固定ブラケット１３は、図２〜３に示されるように、アンカーボルト１２の頭部１２ａを挟んで両側に立てられた一対の立て板部１３ａと、当該一対の立て板部１３ａを連結する座金部１３ｂと、一対の立て板部１３ａに両端固定され、リンク１６が係合される軸部材１３ｃとを備えている。座金部１３ｂは、貫通孔１３ｂ１を有している。貫通孔１３ｂ１にアンカーボルト１２の頭部１２ａを挿入し、座金部１３ｂの上方からナット１４を締め付けることにより、固定ブラケット１３は、法枠１１の上面に押圧される。それとともに、ナット１４の締め付ける反力によってアンカーボルト１２が地表へ向けて引っ張られる。
【００２７】
なお、ナット１４は、固定ブラケット１３の座金部１３ｂにあらかじめ固定されていてもよく、その場合、固定ブラケット１３およびナット１４を同時に回転させることにより、ナット１４をアンカーブラケット１２の頭部１２ａのおねじ部１２ｂに螺合することが可能である。
【００２８】
軸部材１３ｃは、図３に示されるように、ボルト１３ｃ１と、それに螺合するナット１３ｃ２と、ボルト１３ｃ１のおねじ部の一部を覆う筒部１３ｃ３とを備えている。筒部１３ｃ３は、図２に示されるようにリンク１６と係合した状態で、一対の立て板部１３ａの間に配置される。ボルト１３ｃ１は、一対の立て板部１３ａを貫通しながら筒部１３ｃ３に挿入されている。ナット１３ｃ２は、一対の立て板部１３ａの外側からボルト１３ｃの先端部に螺合されている。
【００２９】
リンク１６は、楕円状の金属製リングからなり、雪崩Ｓの衝撃荷重に耐えられる引張強度を有する。リンク１６は、図２に示されるように、固定ブラケット１３の一対の立て板部１２ａの間で軸部材１３ｃの筒部１３ｃ３に係合している。
【００３０】
複数本のケーブル３は、図１に示されるように、谷間Ｖを横断する方向Ａに延びるように互いに異なる高さに並んで配索されている。各ケーブル３の両端部は、前述のようにケーブル固定部２の固定ブラケット１３に連結されたリンク１６にそれぞれ固定されている。ケーブル３の端部は、リンク１６に連結する場合、例えば、図２に示されるように、シャックル１７を介して連結することにより、容易に連結することが可能である。シャックル１７は、一端が開放されたリング状の本体１７ａと、当該本体１７ａの開放された部分を閉じる閉鎖ピン１７ｂとを備えている。本体１７ａは、円弧状の部分１７ａ１と、一対の向かい合う部分１７ａ２とを有する。シャックル１７の本体１７ａにケーブル５の端部を固定した後、当該本体１７ａの円弧状の部分１７ａ１の内側にリンク１６の一部を挿入し、その後、本体１７ａの一対の向かい合う部分１７ａ２の隙間を閉鎖ピン１７ｂによって閉じることにより、ケーブル５とリンク１６とを連結することが可能である。
【００３１】
なお、ケーブル３の端部をリンク１６に直接連結してもよい。
【００３２】
ネット４は、図１に示されるように、谷間Ｖを横断するように設置され、各ケーブル３に支持されている。ネット４は、図示されていない細い鋼線などからなる継ぎロープなどの従来公知の連結手段によって、各ケーブル３に対して連結されている。ネット４は、例えば、落石にも耐えられる高強度の金網などからなる。
【００３３】
ネット４は、最上段のケーブル３から最下段のケーブル３の間の高さを有し、かつ、各ケーブル３の両端部まで覆うことが可能な台形形状を有する。これにより、ネット４は、谷間Ｖを横断するように覆うことが可能である。
【００３４】
支柱支持部６は、谷間Ｖの向かい合う斜面Ｇにそれぞれ設置されている。
【００３５】
支柱支持部６は、斜面Ｇの地面に設置された基部２６と、基部２６の上に設置された角度調整部材２７と、ベースプレート２８とを有する。
【００３６】
基部２６は、図６に示されるように、法枠１１の上面側に配置された上側部分２６ａと、当該法枠１１の下面側に配置された下側部分２６ｂとを備えている。上側部分２６ａおよび下側部分２６ｂは、それぞれコンクリートからなり、法枠１１と一体形成されている。なお、基部２６は、法枠１１と別個の部材であってもよい。また、基部２６の形状は、支柱５およびそれにかかる雪崩Ｓの沈降荷重を受けることが可能な形状であればよい。
【００３７】
上側部分２６ａは、水平面２６ａ１を有する。水平面２６ａ１の上には、角度調整部材２７が設置されている。
【００３８】
図６に示されるように、角度調整部材２７は、その上面側において、支柱５の傾斜角を設定するための基準面となる傾斜面２７ａを有している。傾斜面２７ａは、基部２６の水平面２６ａ１に対して谷間Ｖの中央を向くように傾斜している。
【００３９】
ベースプレート２８は、図５〜７に示されるように、角度調整部材２７の傾斜面２７ａの上に水平面２６ａ１から傾斜した状態で固定されている。ベースプレート２８は、底板部２８ａと、当該底板部２８ａから立設された一対の立て板部２８ｂとを備えている。一対の立て板部２８ｂは、谷間Ｖを横断する方向Ａ（図６参照）に離間して配置されている。
【００４０】
底板部２８ａは、斜面Ｇの地中に埋設されたアンカーボルト１８の頭部１８ａに上下から一対のナット１９によって挟み込まれることにより、角度調整部材２７の傾斜面２７ａの上に固定される。
【００４１】
支柱５は、谷間Ｖに沿って流れる雪崩Ｓの進行方向Ｂ（図４参照）の下流側に揺動できるように支柱支持部６に支持され、ケーブル３を当該ケーブル３の高さを維持し、かつ、当該ケーブル３に対して上方からかかる雪崩Ｓの沈降荷重Ｆ（図４〜５参照）を受けるように、保持するように保持する。
【００４２】
具体的には、支柱５は、図４〜６に示されるように、支柱支持部６のベースプレート２８に揺動自在に支持された支柱本体２１と、当該支柱本体２１に長手方向に間隔をあけて設置されたケーブル３を保持するＵボルト２２とを備えている。Ｕボルト２２は、本発明の保持部に対応する。
【００４３】
支柱本体２１は、長尺の棒状体、例えばＨ型鋼からなる。支柱本体２１の下端には、一対の連結板２１ａが下方に突出するように設けられている。一対の連結板２１ａは、谷間Ｖを横断する方向Ａ（図６参照）に離間して配置されている。一対の連結板２１ａは、それぞれベースプレート６ｃの一対の立て板部６ｃ２に対して軸部材２５によって回転自在に支持されている。これにより、支柱５は、図４に示されるように、谷間Ｖに沿って流れる雪崩Ｓの進行方向Ｂの下流側に軸部材２５を回転中心として揺動できるように支柱支持部６に支持される。
【００４４】
また、支柱本体２１を揺動自在に支持するベースプレート２８は、角度調整部材２７の傾斜面２７ａの上に水平面２６ａ１から谷間Ｖの中央を向くように傾斜した状態で固定されているので、図１に示されるように、支柱５は、その先端５ａが谷間Ｖの中央を向くように傾斜して配置される。
【００４５】
Ｕボルト２２は、図４〜５に示されるように、支柱本体２１のうち、雪崩Ｓの進行方向Ｂの上流側を向く側面２１ｂにおいて、あらかじめ設定されたケーブル３の高さにケーブル３を支持できる位置にナット２３によって固定されている。
【００４６】
ケーブル３は、図５に示されるように、Ｕボルト２２と支柱本体２１の側面２１ｂとによって形成された谷間Ｖを横断する方向に開口する貫通孔２４に挿入される。これにより、Ｕボルト２２は、各々のケーブル３を下方から受けて当該ケーブル３の高さを維持するように保持する。しかも、Ｕボルト２２は、ケーブル３にかかる雪崩の沈降荷重Ｆ（図４〜５参照）を受けることが可能である。
【００４７】
しかも、図５に示されるように、貫通孔２４は、ケーブル３の外径より大きい幅を有するように設定されているので、貫通孔２４に挿入されたケーブル３は、谷間Ｖを横断する方向Ａ（図１参照）への移動が可能になっている。
【００４８】
支柱５は、図１に示されるように、その先端５ａが谷間Ｖの中央を向くように垂線ＶＬに対して角度θだけ傾斜した状態で、前述の支柱支持部６にそれぞれ支持されている。この傾斜角θは、最上段のケーブル３を一対の支柱５のそれぞれの最上段のＵボルト２２によってほぼ３分割に分割されるように、谷間Ｖの幅および支柱５の長さなどの条件を考慮して適宜設定される。これにより、最上段のケーブル３にかかる雪崩Ｓの沈降荷重Ｆを谷間Ｖにおける両側のケーブル固定部２および一対の支柱５にほぼ均等に分散させることが可能である。
【００４９】
上記のように構成された雪崩減勢工１では、図１および図４に示されるように、雪崩Ｓが谷間Ｖを進行方向Ｂに沿って進行してきたときに、雪崩Ｓの進行方向Ｂにおける衝撃および圧力をネット４およびそのネット４を支持するケーブル３によって受ける。ケーブル３に伝達された衝撃および圧力は、ケーブル３の両端部から谷間Ｖに埋設されたケーブル固定部２へ伝達され、当該ケーブル固定部２によって受けることが可能である。
【００５０】
さらに、ケーブル３は、支柱５のＵボルト２２によって、当該ケーブル３の高さを維持するように保持されている。しかも、雪崩Ｓが融けるなどして雪崩Ｓの下向きの沈降荷重Ｆがケーブル３に作用したときには、当該沈降荷重Ｆを支柱５で受けることが可能である。これにより、ケーブル３にかかる沈降荷重Ｆを支柱５へ分散させ、雪崩Ｓの沈降荷重Ｆによってケーブル３が下方へ押し下げられて歪曲することを防止することが可能である。
【００５１】
とくに、本実施形態では、支柱５の先端が谷間Ｖの中央を向くように垂線ＶＬに対して傾斜するように、支柱５が谷間Ｖの向かい合う斜面Ｇに設置された支柱支持部６に支持されているので、谷間Ｖの中央付近では、支柱５の先端同士の間隔が狭くなるので、谷間Ｖの幅が広い場合でも、雪崩Ｓの沈降荷重Ｆをケーブル３が受けたときに両側の支柱５に確実に分散して受けることが可能になる。
【００５２】
また、支柱５は、谷間Ｖに沿って流れる雪崩Ｓの進行方向Ｂの下流側に揺動できるように支柱支持部６に対して軸部材２５回りに回転できるように支持されているので、雪崩Ｓの進行方向Ｂにおける衝撃および圧力を支柱５が受けたときに、支柱５は、軸部材２５を回転中心として、当該進行方向Ｂ下流側に図４において反時計方向Ｃへ揺動しながらケーブル３へその衝撃および圧力を分散させることが可能であり、その結果、支柱５が転倒や破損するおそれを防止することが可能である。
【００５３】
（特徴）
（１）
上記のように構成された本実施形態の雪崩減勢工１は、谷間Ｖに沿って流れる雪崩Ｓをネット４およびそのネット４を支持するケーブル３によって受ける構造であるので、大重量のコンクリート製の擁壁を設置する場合と比較して製造コストを大幅に低減することが可能である。しかも、ケーブル３の両端部は谷間Ｖに設置されたケーブル固定部２に固定されているので、雪崩Ｓの進行方向Ｂにおける圧力をケーブル３の張力によって弾力的に受けることができる。その結果、従来のように支柱や杭などの雪崩減勢工を構成する部材が転倒したり破損したりするおそれがない。
【００５４】
（２）
しかも、本実施形態の雪崩減勢工１では、支柱５における支柱本体２１の長さ方向に離間して配置されたＵボルト２２がケーブル３を保持することにより、当該ケーブル３の高さを維持するように保持し、かつ、ケーブル３に対して上方からかかる雪崩の沈降荷重Ｆを受けることが可能である。これにより、ケーブル３にかかる沈降荷重Ｆを支柱５へ分散させ、雪崩Ｓの沈降荷重Ｆによってケーブル３が下方へ押し下げられて歪曲することを抑止することが可能である。
【００５５】
しかも、この支柱５は、谷間Ｖに沿って流れる雪崩Ｓの進行方向の下流側に揺動できるように支柱支持部６に支持されているので、雪崩Ｓの進行方向Ｂにおける衝撃および圧力を支柱５が受けたときに下流側に揺動しながらケーブル３へその衝撃および圧力を分散させることが可能であり、その結果、支柱５が転倒や破損することを抑止することが可能である。
【００５６】
（３）
本実施形態の雪崩減勢工１では、支柱５が谷間Ｖの向かい合う斜面Ｇにそれぞれ配置されているので、雪崩Ｓの沈降荷重Ｆをケーブル３が受けたときに谷間Ｖの両側の斜面Ｇに配置された支柱５によって受けることが可能になる。その結果、ケーブル３にかかる雪崩Ｓの沈降荷重Ｆが大きい場合でも、ケーブル３が雪崩Ｓの沈降荷重Ｆによって押し下げられて歪曲するおそれが低減する。
【００５７】
また、支柱５および支柱固定部６を谷間Ｖの向かい合う斜面Ｇにそれぞれ設置すれば、谷間Ｖの底に溜まる水や雪の影響を受けにくくなり、設置作業が容易になるなどの利点を有する。
【００５８】
（４）
本実施形態の雪崩減勢工１では、支柱５の先端が谷間Ｖの中央を向くように垂線ＶＬに対して傾斜するように、支柱５が谷間Ｖの向かい合う斜面Ｇに設置された支柱支持部６に支持されているので、谷間Ｖの中央付近では、支柱５の先端同士の間隔が狭くなるので、谷間Ｖの幅が広い場合でも、雪崩Ｓの沈降荷重Ｆをケーブル３が受けたときに両側の支柱５に確実に分散して受けることが可能になる。その結果、谷間Ｖの幅が広くてケーブル３にかかる雪崩の沈降荷重Ｆが大きい場合でも、ケーブル３が雪崩Ｓの沈降荷重Ｆによって押し下げられて歪曲するおそれが低減する。
【００５９】
（５）
本実施形態の雪崩減勢工１では、ケーブル３が雪崩Ｓから当該雪崩Ｓの進行方向Ｃにおける圧力を受けたときに、ケーブル３は支柱５のＵボルト２２によって拘束されることなく谷間Ｖを横断する方向に移動しながら当該進行方向Ｃたわむことが可能であり、ケーブル３の張力をケーブル固定部２に確実に伝達することが可能である。
【００６０】
（変形例）
（Ａ）
なお、上記実施形態では、支柱５および支柱固定部６が谷間Ｖの向かい合う斜面Ｇにそれぞれ設置された例が示されているが、本発明はこれに限定されるものではなく、谷間Ｖにおいて少なくとも１つの支柱５および支柱固定部６が設置されていてもよい。したがって、谷間Ｖの一方の斜面Ｇのみに支柱５および支柱固定部６を設置したり、または谷間Ｖの底の位置に支柱５および支柱固定部６を設置してもよい。これらの場合においても、上記実施形態と同様に、雪崩Ｓの沈降荷重Ｆによってケーブル３が下方へ押し下げられて歪曲するおそれを防止するとともに、支柱５が転倒や破損することを抑止することが可能である。
【００６１】
（Ｂ）
さらに、上記実施形態の雪崩減勢工１は、支柱５および支柱固定部６を備えているが、これらの支柱５および支柱固定部６を省略してもよく、その場合も、谷間Ｖに沿って流れる雪崩Ｓをネット４およびそのネット４を支持するケーブル３によって受けることにより、大重量のコンクリート製の擁壁を設置する場合と比較して製造コストを大幅に低減することが可能であり、かつ、雪崩減勢工を構成する部材が転倒や破損するおそれを抑止することが可能である。
【００６２】
（Ｃ）
また、上記実施形態では、各ケーブル３を保持する支柱５の保持部として、Ｕボルト２２を例に挙げて説明したが、本発明はこれに限定されるものではなく、各々のケーブル３を当該ケーブル３の高さを維持し、かつ、当該ケーブル３に対して上方からかかる雪崩の沈降荷重Ｆを受けるように保持するものであれば、種々の形態の保持部を採用することが可能である。したがって、上記のＵボルトの他にも、上方が開放された溝を有する部材であってもよく、その場合も、その溝にケーブルを挿入することにより、各々のケーブル３を下方から受けて当該ケーブル３の高さを維持、かつ、当該ケーブル３に対して上方からかかる雪崩の沈降荷重Ｆを受けるように保持することが可能になる。
【符号の説明】
【００６３】
１  雪崩減勢工
２  ケーブル固定部
３  ケーブル
４  ネット
５  支柱
６  支柱支持部
２１  支柱本体
２２  Ｕボルト（保持部）
Ｂ  進行方向
Ｇ  斜面
Ｓ  雪崩
Ｖ  谷間
【図１】
2014105460.tif 000003
【図２】
2014105460.tif 000004
【図３】
2014105460.tif 000005
【図４】
2014105460.tif 000006
【図５】
2014105460.tif 000007
【図６】
2014105460.tif 000008
【図７】
2014105460.tif 000009
【図８】
2014105460.tif 000010